(57)【要約】  本発明の１実施例に従い、ガントリー回転子に一時的にエネルギーを貯蔵する検査装置が提供可能である。Ｘ線管の回転可能に取り付けられた電極は、高ピーク出力伝達を避けるために検査装置の回転部のＸ線管を駆動するためのエネルギー緩衝用のエネルギー貯蔵装置として使用可能である。特にＸ線管は、Ｘ線管のＸ線照射時間のために、Ｘ線照射時に回転電極の貯蔵エネルギーを回収し、そのエネルギーを変換し、Ｘ線管に管電流と高電圧を供給する事により、使用されても良い。
2010500714.tif 000002
【特許請求の範囲】
【請求項１】
興味の対象の検査のための検査装置で：
少なくとも１つの回転可能電極を有するＸ線管；
発電機として操作されるのに適合する電気機械；
を含み、
運動エネルギーを蓄えるためにはずみ車として前記回転可能電極を用いて前記電気機械により前記回転可能電極の運動エネルギーを電気エネルギーに変換できるように前記回転可能電極が前記電気機械に結合された装置。
【請求項２】
前記Ｘ線管の前記電極に電力を提供するのに適合した高電圧回路を更に含む請求項１の検査装置。
【請求項３】
第１出力供給；
を更に含み、
前記電気機械は又、電動機として操作されるのに適合し；且つ
前記第１出力供給は、前記電気機械が電動機として操作される時に前記電気機械に出力を提供するのに適合した請求項１の検査装置。
【請求項４】
前記電気機械が電動機として操作される時に前記第１出力供給を前記電気機械に接続し、発電機として操作される時に前記電気機械を前記高電圧回路に交互に接続するのに適合したスイッチを更に含む請求項３の検査装置。
【請求項５】
電力を前記高電圧回路に供給するのに適合した第２出力供給を更に含む請求項２から４の何れかの検査装置。
【請求項６】
前記第２出力供給が前記検査装置の固定部に取り付けられる請求項５の検査装置。
【請求項７】
前記Ｘ線管が、前記検査装置の回転部に取り付けられる先行する何れかの請求項の検査装置。
【請求項８】
前記第２出力供給及び前記高電圧回路が変圧器の手段により結合された請求項５から７の何れかの検査装置。
【請求項９】
前記スイッチが前記検査装置の前記回転部に取り付けられた請求項４から８の何れかの検査装置。
【請求項１０】
前記電気機械が円筒回転子体を含む先行する請求項の１の検査装置。
【請求項１１】
前記電気機械が固定コイルシステムを含む先行する請求項の１の検査装置。
【請求項１２】
前記円筒回転子体が前記固定コイルシステムへの磁気結合を含む請求項１０か１１の何れかの検査装置。
【請求項１３】
前記検査装置が複数管配置(multiple  tube  arrangement)を含む先行する請求項の１の検査装置。
【請求項１４】
前記電極が陽極である先行する請求項の１の検査装置。
【請求項１５】
運動エネルギーを貯蔵するためにはずみ車として使用されるのに適合した請求項１の検査装置のＸ線管に使用されるのに適合した電極。
【請求項１６】
検査装置を使って興味の対象を検査するための方法で：
Ｘ線管内で前記電気機械に結合する電極を回転することにより発電機として操作されるのに適した電気機械を駆動するステップ；及び
運動エネルギーを蓄えるためにはずみ車として前記回転可能電極を用いて、発電機として操作される時前記電気機械の手段により前記回転電極の運動エネルギーを電気エネルギーに変換するステップ
を含む方法。
【請求項１７】
第１出力供給の手段により前記電気機械に電力を供給するステップを更に含む、前記電気機械が又電動機として操作されるのに適合した、請求項１６の方法。
【請求項１８】
前記Ｘ線管の前記電極に高電圧を提供するステップを更に含む、請求項１７の方法。
【請求項１９】
前記電気機械が電動機として操作される時前記電気機械に第１出力供給を接続するステップ；及び
前記電気機械が発電機として操作される時前記電気機械に高電圧回路を接続するステップ
を更に含む、請求項１６及び１７の何れかの方法。
【請求項２０】
第２出力供給の手段により前記高電圧回路に出力を供給するステップを更に含む、請求項１６及び１７の何れかの方法。
【請求項２１】
興味の対象の検査のコンピュータプログラムが記憶されたコンピュータ読取可能媒体で、それがプロセッサーにより実行された時：
Ｘ線管内で前記電気機械に結合される電極を回転することにより発電機として操作されるのに適合する電気機械を駆動するステップ；及び
運動エネルギーを蓄えるためにはずみ車として前記回転可能電極を用いて、前記電気機械が発電機として操作される時前記電気機械の手段により前記回転電極の運動エネルギーを電気エネルギーに変換するステップ
を実行するのに適合した媒体。
【請求項２２】
プロセッサーにより実行された時：
Ｘ線管内で前記電気機械に結合される電極を回転することにより発電機として操作されるのに適合する電気機械を駆動するステップ；及び
運動エネルギーを蓄えるためにはずみ車として前記回転可能電極を用いて、前記電気機械が発電機として操作される時前記電気機械の手段により前記回転電極の運動エネルギーを電気エネルギーに変換するステップ
を実行するのに適合し、記憶された興味の対象の検査のプログラム要素。
【請求項２３】
興味の対象の検査のコンピュータプログラムが記憶されたコンピュータチップで、それがプロセッサーにより実行された時：
Ｘ線管内で前記電気機械に結合される電極を回転することにより発電機として操作されるのに適合する電気機械を駆動するステップ；及び
運動エネルギーを蓄えるためにはずみ車として前記回転可能電極を用いて、前記電気機械が発電機として操作される時前記電気機械の手段により前記回転電極の運動エネルギーを電気エネルギーに変換するステップ
を実行するのに適合したコンピュータチップ。
【発明の詳細な説明】
【技術分野】
【０００１】
本発明は、トモグラフィーイメージングの分野に関する。特に、本発明は、はずみ車電極を持つ検査装置、当該検査装置で使われる電極、興味の対象の検査方法、コンピュータ読み取り可能媒体、プログラム要素、及びコンピュータチップに関する。
【背景技術】
【０００２】
未来の計算トモグラフィーシステムは、増時間的分解能及びより大きい１回転あたりの検出器範囲を提供し、増加した瞬時電力を要する。より大きい検出器は、より少ない患者当たりの全エネルギー処理量でチューブを駆動させる事ができ、Ｘ線管は、より少ない走査時間の間オンであるが、瞬時電力は増加する。
【先行技術文献】
【特許文献】
【０００３】
【非特許文献】
【０００４】
【発明の概要】
【発明が解決しようとする課題】
【０００５】
その結果、計算トモグラフィーシステムを回転させるために、固定されたガントリーから計算トモグラフィーシステムの回転部への主出力供給及び出力伝達は、全ピーク電力定格用に設計された時には、より労力がかかり費用がかかる。計算トモグラフィーシステムの回転部上に取り付けられたＸ線管内のＸ線照射あたりのエネルギーの増加は、電力を供給するための出力供給を含んだ計算トモグラフィーシステムの固定部から、電力を供給されるべきＸ線管を含んだ計算トモグラフィーシステムの回転部としてのガントリー回転子へ、の出力伝達の観点から重大な問題となる結果となる。
【０００６】
他方、２つのＸ線照射の間の時間間隔内に、電力のピークレベルで、固定部としてのガントリーから回転部への出力伝達の必要はない。
【０００７】
主電源供給及び固定部から計算トモグラフィーシステムの回転部へ供給されるべき電力のピークレベルを減らすことが望ましい。
【課題を解決するための手段】
【０００８】
本発明は、従属項による機能を持つ検査装置、電極、検査装置で興味の対象の検査する方法、コンピュータ読み取り可能媒体、プログラム要素、及びコンピュータチップを提供する。
【０００９】
本発明の以下に記述された実施例は又、興味の対象の検査方法、コンピュータ読み取り可能媒体、電極、プログラム要素、及びコンピュータチップに適用する事は注意されなければならない。
【００１０】
本発明の実施例に従い、興味の対象の検査のための検査装置は提供可能で、その検査装置は少なくとも１つの回転可能電極を有するＸ線管と発電機として操作するのに適合した電気機械を含み、運動エネルギーを貯蔵するためはずみ車としての回転可能電極を用いて、電気機械の手段により回転電極の運動エネルギーを電気エネルギーに変換できるように回転可能電極は電気機械に結合される。
【００１１】
故に、検査装置は、はずみ車として用いられる回転電極の運動エネルギーとしてのエネルギーの一時的貯蔵に適合可能で、それにより伝達されたエネルギーの瞬間的レベルを平均化する。適切な発電機／電動機システムに結びついたときに、電極にブレーキをかけている間に、コイルが通電され、又は電気エネルギーを回収するならば、この機構は、電極を駆動する。これがはずみ車と比較できる電気機械エネルギー貯蔵装置を構成する。
【００１２】
本発明のもう１つの実施例に従い、検査装置は更に、電力をＸ線管の電極に提供するのに適合した高電圧回路を含む。
【００１３】
故に、Ｘ線管は、Ｘ線照射を作るために必要とされる高電圧を与えられても良い。
【００１４】
本発明のもう１つの実施例に従い、検査装置は更に、第１出力供給を含み、電気機械は又、電動機として操作されるのに適合し、第１出力供給は、電動機として操作される時電力を電気機械に提供するのに適合する。
【００１５】
故に、回転可能電極は、Ｘ線力や電極寿命の増加のため駆動可能で、且つ慣性や回転する電極の回転速度に依存する運動エネルギーとしてそこに電気エネルギーを貯蔵するために駆動可能である。
【００１６】
本発明のもう１つの実施例に従い、検査装置は更に、電動機として操作される時第１出力供給を電気機械に接続し、発電機として操作される時電気機械を高電圧回路に交互に接続するのに適合したスイッチを含む。
【００１７】
故に、以下の２つの状態の間で変化することは可能である。つまり、回転可能電極に電力を供給しそれを加速しその中に運動エネルギーを蓄える第１状態と、回転する電極から回収したエネルギーを高電圧回路に供給するために発電機として操作されるとき電気機械の手段により運動エネルギーを電気エネルギーに再転換する手段により貯蔵された運動エネルギーを回収する第２状態との間を変化する事は可能である。
【００１８】
本発明のもう１つの実施例に従い、検査装置は更に、電力を高電圧回路に供給するのに適合した第２出力供給を含む。
【００１９】
故に、回転する電極から回収した電力から追加的に高電圧回路に電力を供給することは可能である。
【００２０】
本発明のもう１つの実施例に従い、第２出力供給は、検査装置の固定部又はガントリーの上に取り付けられる。
【００２１】
本発明のもう１つの実施例に従い、Ｘ線管は、検査装置の回転部に取り付けられる。
【００２２】
本発明のもう１つの実施例に従い、第２出力供給と高電圧回路は、インバータ／変圧器／ダイオード／コンデンサー網の手段により結合される。
【００２３】
それ故、放射源は、計算トモグラフィー器具の基本機能を維持するために動かされても良く、動いた部品の質量は、低く保つことが可能である一方、出力供給の移動質量は、ガントリー上で一定に保たれる。
【００２４】
本発明のもう１つの実施例に従い、スイッチは、検査装置の回転部に取り付けられる。
【００２５】
それ故、回収されたエネルギーは、回転部と固定部の間のエネルギーの更なる伝達の必要なしに、又は回転部と固定部の間のトランスミッション(transmission)のかなり減少した出力定格のみ必要とする計算トモグラフィーシステムの回転部に維持可能である。
【００２６】
本発明のもう１つの実施例に従い、電気機械は、円筒形回転子体を含む。
【００２７】
本発明のもう１つの実施例に従い、電気機械は、固定コイルシステムを含む。
【００２８】
それ故、回転可能電極を駆動するために固定コイルシステムに関し電気機械の回転子体を駆動する事は可能である。
【００２９】
１つの実施例に従い、円筒形回転子体又はディスク型体は、Ｘ線管の真空部内に与えられ、固定コイルシステムは、Ｘ線管の真空部外に与えられる。
【００３０】
それ故、真空部と非真空部との間の境界は、コイルシステムを真空の外に維持するために、電気機械の円筒形回転子体と固定コイルシステムとの間に与えられる。
【００３１】
本発明のもう１つの実施例に従い、回転子体は、固定コイルシステムへの磁気結合を含む。
【００３２】
それ故、駆動力は、Ｘ線管内の回転子体の駆動の最適化が可能である。
【００３３】
本発明のもう１つの実施例に従い、検査装置は、複数管配置を含む。
【００３４】
それ故、計算トモグラフィーシステムは、興味の対象の全体検査時間を減らすために複数のＸ線照射システムを提供されても良い。これは、人体を検査する場合に重要となるかもしれない。
【００３５】
本発明のもう１つの実施例に従い、電極は、陽極である。
【００３６】
陽極は常に、より高い物質的完成と加熱手段を有する電極なので、陽極を回転することは、Ｘ線管の出力(power)定格と寿命を増加させる。
【００３７】
本発明のもう１つの実施例に従い、電極は、運動エネルギー貯蔵用のはずみ車として使われるために上記検査装置のＸ線管内で使用されるのに適合する。
【００３８】
本発明のもう１つの実施例に従い、興味の対象の検査装置を用いる検査方法は、Ｘ線管内の電気機械に結合された電極を回転することにより発電機として操作されるのに適合した電気機械を駆動するステップ、及び運動エネルギー貯蔵用のはずみ車として回転可能電極を用い、発電機として操作されるとき電気機械の手段により回転電極の運動エネルギーを電気エネルギーに変換するステップを含む。
【００３９】
本発明のもう１つの実施例に従い、その方法は、第１出力供給の手段により出力を電気機械に供給するステップを更に含む。
【００４０】
本発明のもう１つの実施例に従い、その方法は、Ｘ線管の電極に高電圧を供給するステップを含む。
【００４１】
本発明のもう１つの実施例に従い、その方法は更に、電動機として操作されるとき第１出力供給を電気機械に結合し、発電機として操作されるとき電気機械を高電圧回路に結合ステップを含む。
【００４２】
本発明のもう１つの実施例に従い、その方法は、第２出力供給の手段により出力を高電圧回路に供給するステップを含む。
【００４３】
本発明のもう１つの実施例に従い、興味の対象の検査のコンピュータプログラムを記憶するコンピュータ読取可能媒体は、プロセッサーにより実行される時、上記方法のステップを実行するのに適合する。
【００４４】
本発明のもう１つの実施例に従い、興味の対象の検査のプログラム要素は、プロセッサーにより実行される時、上記方法のステップを実行するのに適合する。
【００４５】
本発明のもう１つの実施例に従い、興味の対象の検査のコンピュータプログラムを記憶するコンピュータチップは、プロセッサーにより実行される時、上記方法のステップを実行するのに適合する。
【００４６】
ガントリー回転子にエネルギーを一時的に蓄えること、及び回転可能に取り付けられたＸ線管の電極が出力の高ピーク伝達を避けるために検査装置回転部のＸ線管駆動用のエネルギー緩衝用のエネルギー貯蔵として使用されても良い事は、本発明の実施例の要旨として見ることができ、特にＸ線管のＸ線照射時間のために、回転電極の貯蔵エネルギーを回収する事により、Ｘ線照射時にエネルギーを変換でき、及びＸ線管に管電流と高電圧を供給できる事は、本発明の実施例の要旨として見ることができる。
【００４７】
本発明のこれらの及び他の面は、以下に記述される実施例を参照して明らかにされる。
【００４８】
本発明の実施例は、以下の図面を参照して以下に記述される。
【００４９】
図面の表示は概略的である。異なる図面において、図中の等しい又は類似の要素は、同じ参照番号で提供される。
【図面の簡単な説明】
【００５０】
【図１】本発明の１つの実施例によるＸ線管のチューブ(tube)の代表例を概略的に示す。
【図２】本発明の１つの実施例による検査装置の回路の代表例を概略的に示す。
【図３】本発明のもう１つの実施例による検査装置の回路の代表例を概略的に示す。
【図４】本発明のもう１つの実施例による複数の管配置を有する検査装置の代表例を概略的に示す。
【図５】本発明のもう１つの実施例による検査装置のチューブの代表例を概略的に示す。
【図６】本発明による方法の実施例のフローチャートを示す。
【発明を実施するための形態】
【００５１】
図１は、本発明の１つの実施例によるＸ線管の簡略化チューブを示す。
【００５２】
図１に示されたチューブは、回転可能電極１１１がその中に位置する筐体を含む。その筐体は、金属フレーム１１９と回転可能電極１１１に接触するための陶磁器絶縁体又はブッシング１１８とカウンター電極１１５とを含む。本発明の１実施例に従い、回転可能電極１１１は陽極として提供され、カウンター電極１１５は陰極として提供される。回転陽極は、グラファイト支持体を提供されても良い。Ｘ線管１１０内に回転可能電極１１１を回転するための回転子１５１が与えられても良い。
【００５３】
回転可能電極１１１は、電気機械１５０の一部である回転子１５１に結合される。電気機械１５０の固定子１５５は、真空管外に与えられ、固定コイルシステムとして与えられても良い一方、回転子１５１は、真空管内に与えられ、円筒回転子体として与えられても良い。渦電流は、回転子体にトルクを生じ、陽極の回転速度を約１００００ｒｐｍ及びそれ以上に上げる。
【００５４】
図２は、本発明の１つの実施例による検査装置の回路の簡略化代表例を示す。
【００５５】
検査装置の回路は、固定部１０１と回転部１０２とを含む。固定部は、ガントリー上に与えられ、回転部は、ガントリー回転子上に与えられても良い。図２の回路の固定部は、３相整流電圧を提供可能な出力供給１３０を含む。しかし、単相システムのような異なる相数が又、出力供給１３０に印加されても良い。出力供給１３０は、正弦波、矩形波、のこぎり波、三角波、又は如何なる他の交流波形の交流電流を提供するのに適したコンバータを含んでも良い。回転部１０２は、整流器及び平滑コンデンサーとしても又機能するバッファーコンデンサーを含む高電圧回路１２０を含む。如何なる他の高電圧波形をも供給され得る事に注意する。回転部は更に、回転可能１１１電極及びカウンター電極１１５を含むＸ線管１１０を含む。１実施例に従い、回転可能電極１１１は陽極として及びカウンター電極は陰極として与えられても良い。
【００５６】
固定部１０１及び回転部１０２は、コンデンサー１４０により結合されても良い。如何なる他の結合手段、接触システム又は変圧器の様な非接触システムも又、与えられても良い事は注意されなければならない。変速機は、低周波変速機、高周波変速機又は超高周波変速機であっても良い。
【００５７】
図３は、本発明の更なる実施例による検査装置の回路の簡略化代表例を概略的に示す。
【００５８】
図３に示された実施例の回路は、図２に類似して固定部１０１及び回転部１０２から構成される。固定部は、交流電流を作るための整流器及びコンバータを持った３相出力供給を有する出力供給１３０を含んでも良い。その出力供給は又、図２に関し既に概説されたようなもう１つの形でも良い。回転部１０２は、高電圧回路１２０及びＸ線管１１０を含んでも良い。Ｘ線管は、回転可能電極１１１及びカウンター電極１１５を与えられても良い。回転可能電極１１１は陽極として、カウンター電極１１５は陰極として与えられても良い。回転可能電極は、電動機及び発電機として操作可能な電気機械１５０と結合されても良い。
【００５９】
固定部１０１と回転部１０２は、コンデンサー１４０と結合されても良く、固定部１０１と回転部１０２との間の結合は又、図２に関し既に概説されたもう１つの種類であっても良い。
【００６０】
図３の検査装置１００は又、電動機として操作される時電気機械１５０に出力を提供するのに適した出力供給１６０を更に提供されても良い。
【００６１】
図３の検査装置１００は又、電動機として操作される時電気機械１５０に出力供給１６０を接続し、発電機として操作される時電気機械１５０に高電圧回路１２０を交互に接続するのに適合したスイッチ１８０を提供されても良い。
【００６２】
スイッチ１８０は、検査装置１００の回転部１０２に提供されても良い。スイッチ１８０は又、検査装置の固定部に提供されても良い事に注意されなければならない。
【００６３】
出力供給１３０及び出力供給１６０は、検査装置１００の固定部１０１に提供されても良い。  出力供給１３０又は出力供給１６０又は出力供給１３０及び出力供給１６０の両方は又、検査装置１００の回転部１０２に提供されても良い事に注意されなければならない。
【００６４】
図３に示す配置で、回転可能電極１１１を加速するために出力供給１６０により電気機械１５０を駆動する事により運動エネルギーを蓄えることは可能である。回転可能電極１１１は、慣性及び回転速度によりはずみ車として作用する。Ｘ線照射のためＸ線管１１０に高電圧を供給するための電力が必要な時、回転電極１１１に蓄えられた運動エネルギーは、はずみ車として作用する電極１１１を回転する手段により電気機械１５０を駆動することにより回収可能で、発電機として作用する電気機械の手段により電気エネルギーに変換されるべき運動エネルギーを回収する。この場合、スイッチ１８０は、Ｘ線管１１０に高電圧の形でエネルギーを提供するための高電圧回路１２０と発電機として作用する電気電動機１５０とを接続する。２つの続いて来るＸ線照射時間の間、次の照射期間まで、スイッチ１８０は、出力供給１６０を、はずみ車としての回転可能電極１１１を用い再び運動エネルギーを蓄えるため回転可能電極１１１を再び駆動させるため電動機として作用する電気機械１５０に接続する。「高電圧」の術語は、Ｘ線管駆動するために適切な如何なる電圧に対しても用いられる事に注意されなければならない。
【００６５】
制御要素１９０は、検査装置１００の如何なる要素のタイミングを制御する事も可能で、特に、出力供給１３０、出力供給１６０、高電圧回路１２０、スイッチ１８０、及び／又は電動機として又は発電機として作用する電気機械１５０の制御も可能である。
【００６６】
図４の電動機は、本発明の１実施例による検査装置の代表例を概略的に示す。
【００６７】
検査装置１００は、複数のチューブの配置を与えられても良く、検査装置１００の回転部１０２は、複数のＸ線管１１０、例えば２つのＸ線管電極１１０を与えられても良い。検査装置の回転部１０２は又、２以外の如何なる他の数のＸ線管を提供されても良い事に注意されなければならない。
【００６８】
このように、興味の対象１０７のより速い検査は複数チューブ配置により可能である。人体の動く臓器を検査するときにこれは重要である。
【００６９】
図５は、本発明の１つの実施例による検査装置に使われるＸ線管の実施例を示す。
【００７０】
Ｘ線管１１０は、電気機械１５０の一部である円筒回転子体１５１に結合した回転可能電極１１１を含む。円筒回転子体１５１は、真空管内に提供されても良い。電気機械１５０は、固定コイルシステム１５５とともに提供されても良い。固定コイルシステム１５５は、非真空領域内の管外に提供されても良い。本発明の１つの実施例に従い、円筒回転子体１５１は、固定コイルシステム１５５への磁気的結合を含む。回転可能電極１１１と反対側にカウンター電極１１５が提供される。回転可能電極は陽極でカウンター電極１１５は陰極であっても良い。陰極は、円筒回転子体１５１の回転軸上に位置し、回転可能電極１１１はそこに結合するか又は回転軸にオフセットしても良い。
【００７１】
図６は、本発明による検査装置を操作するための方法の１実施例のフローチャートを示す。
【００７２】
操作中、２つの異なる操作モードが可能で、その内の１つは、Ｘ線管内の、電気機械に結合した電極を回転することにより発電機として操作されるのに適合する電気機械を駆動するためのステップＳ１、及び運動エネルギーを蓄えるためにはずみ車として回転可能電極を用い、発電機として操作される時電気機械の手段により回転電極の運動エネルギーを電気エネルギーに変換するステップＳ２を含む発電機操作モードである。
【００７３】
本発明のもう１つの実施例に従い、第１出力供給の手段により出力を電気機械に供給するステップＳ３を含む電動機操作モードとしての操作モードが提供される。
【００７４】
本発明のもう１つの実施例に従い、発電機操作モードは、Ｘ線管の電極に高電圧を提供するステップＳ４を含む。
【００７５】
本発明のもう１つの実施例に従い、電動機操作モードは、電動機として操作される時に
第１出力供給を電気機械に接続するステップＳ５を含み、発電機操作モードは、発電機として操作される時に高電圧を電気機械に接続するステップＳ６を含む。
【００７６】
本発明のもう１つの実施例に従い、発電機操作モードは、第２出力供給の手段により出力を高電圧回路に供給するステップＳ７を更に含む。
【００７７】
本発明の方法は、上記ステップに限られず又更に検査装置の駆動のためのステップを含む事に注意されなければならない。
【００７８】
図６のフローチャートにより示される方法は又、コンピュータ読み取り可能媒体に記憶された興味の対象の検査のコンピュータプログラムとして実施されても良く、それはプロセッサーにより実施された時に上記ステップを実行するのに適する。図６のフローチャートにより示される方法は又、興味の対象の検査のプログラム要素中で実施されても良い。
【００７９】
「含む」の語は、他の要素又はステップを除外せず、「１つの」の語は、複数を除外しないことに注意する。又異なる実施例に関連して記述された要素は組み合わせることができる。
【００８０】
特許請求の範囲中の参照符号は、特許請求の範囲を制限されてはならない事も又注意されなければならない。
【図１】
2010500714.tif 000003
【図２】
2010500714.tif 000004
2010500714.tif 000005
【図３】
2010500714.tif 000006
【図４】
2010500714.tif 000007
【図５】
2010500714.tif 000008
【図６】
2010500714.tif 000009
【国際調査報告】
2010500714.tif 000010
2010500714.tif 000011
2010500714.tif 000012